(57)【特許請求の範囲】
【請求項１】
物体側から像側へ順に配置された、正の屈折力の第１レンズ群、負の屈折力の第２レンズ群、正の屈折力の第３レンズ群、正の屈折力の第４レンズ群、負の屈折力の第５レンズ群より構成され、
ズーミングに際して、前記第１レンズ群と前記第２レンズ群の間隔、前記第２レンズ群と前記第３レンズ群の間隔、前記第３レンズ群と前記第４レンズ群の間隔が変化し、
ズーミングおよびフォーカシングの少なくとも一方に際して、前記第４レンズ群と前記第５レンズ群の間隔が変化し、
前記第２レンズ群と前記第４レンズ群の間に開口絞りが配置されており、
前記第５レンズ群は１枚の負レンズより構成されており、
無限遠物体から近距離物体へのフォーカシングに際して、前記第５レンズ群は像側へ移動し、
前記第４レンズ群の焦点距離をｆ４、前記第５レンズ群の焦点距離をｆ５、広角端において無限遠物体に合焦しているときの前記第４レンズ群と前記第５レンズ群の合成焦点距離をｆ４５ｗ、広角端における全系の焦点距離をｆｗ、前記第５レンズ群に含まれる負レンズの物体側のレンズ面及び像側のレンズ面の曲率半径を各々Ｒ５ｎｆ及びＲ５ｎｒとするとき、
０．８＜ｆ４／｜ｆ５｜＜１．５
−０．２０＜ｆｗ／ｆ４５ｗ＜０．２５
０．０＜（Ｒ５ｎｒ＋Ｒ５ｎｆ）／（Ｒ５ｎｒ−Ｒ５ｎｆ）＜３．０
なる条件式を満足することを特徴とするズームレンズ。
【請求項２】
ズーミングに際して、前記第１レンズ群と前記第２レンズ群と前記第３レンズ群と前記第４レンズ群は互いに異なる軌跡で移動し、前記第４レンズ群と前記第５レンズ群は互いに同じ軌跡で移動することを特徴とする請求項１に記載のズームレンズ。
【請求項３】
ズーミングに際して、全てのレンズ群が互いに異なる軌跡で移動することを特徴とする請求項１に記載のズームレンズ。
【請求項４】
物体側から像側へ順に配置された、正の屈折力の第１レンズ群、負の屈折力の第２レンズ群、正の屈折力の第３レンズ群、正の屈折力の第４レンズ群、負の屈折力の第５レンズ群より構成され、
ズーミングに際して、前記第１レンズ群と前記第２レンズ群と前記第３レンズ群と前記第４レンズ群は互いに異なる軌跡で移動し、前記第４レンズ群と前記第５レンズ群は互いに同じ軌跡で移動し、
前記第２レンズ群と前記第４レンズ群の間に開口絞りが配置されており、
前記第５レンズ群は１枚の負レンズより構成されており、
無限遠物体から近距離物体へのフォーカシングに際して、前記第５レンズ群が像側へ移動することで前記第４レンズ群と前記第５レンズ群の間隔が変化し、
前記第４レンズ群の焦点距離をｆ４、前記第５レンズ群の焦点距離をｆ５、広角端において無限遠物体に合焦しているときの前記第４レンズ群と前記第５レンズ群の合成焦点距離をｆ４５ｗ、広角端における全系の焦点距離をｆｗとするとき、
０．８＜ｆ４／｜ｆ５｜＜１．５
−０．２０＜ｆｗ／ｆ４５ｗ＜０．２５
なる条件式を満足することを特徴とするズームレンズ。
【請求項５】
前記第４レンズ群は１枚の正レンズより構成されることを特徴とする請求項１乃至４のいずれか１項に記載のズームレンズ。
【請求項６】
物体側から像側へ順に配置された、正の屈折力の第１レンズ群、負の屈折力の第２レンズ群、正の屈折力の第３レンズ群、正の屈折力の第４レンズ群、負の屈折力の第５レンズ群より構成され、
ズーミングに際して、前記第１レンズ群と前記第２レンズ群の間隔、前記第２レンズ群と前記第３レンズ群の間隔、前記第３レンズ群と前記第４レンズ群の間隔が変化し、
ズーミングおよびフォーカシングの少なくとも一方に際して、前記第４レンズ群と前記第５レンズ群の間隔が変化し、
前記第２レンズ群と前記第４レンズ群の間に開口絞りが配置されており、
前記第４レンズ群は１枚の正レンズより構成されており、
無限遠物体から近距離物体へのフォーカシングに際して、前記第５レンズ群は像側へ移動し、
前記第４レンズ群の焦点距離をｆ４、前記第５レンズ群の焦点距離をｆ５、広角端において無限遠物体に合焦しているときの前記第４レンズ群と前記第５レンズ群の合成焦点距離をｆ４５ｗ、広角端における全系の焦点距離をｆｗ、前記第５レンズ群に含まれる負レンズの物体側のレンズ面及び像側のレンズ面の曲率半径を各々Ｒ５ｎｆ及びＲ５ｎｒとするとき、
０．８＜ｆ４／｜ｆ５｜＜１．５
−０．２０＜ｆｗ／ｆ４５ｗ＜０．２５
０．０＜（Ｒ５ｎｒ＋Ｒ５ｎｆ）／（Ｒ５ｎｒ−Ｒ５ｎｆ）＜３．０
なる条件式を満足することを特徴とするズームレンズ。
【請求項７】
ズーミングに際して、前記第１レンズ群と前記第２レンズ群と前記第３レンズ群と前記第４レンズ群は互いに異なる軌跡で移動し、前記第４レンズ群と前記第５レンズ群は互いに同じ軌跡で移動することを特徴とする請求項６に記載のズームレンズ。
【請求項８】
ズーミングに際して、全てのレンズ群が互いに異なる軌跡で移動することを特徴とする請求項６に記載のズームレンズ。
【請求項９】
物体側から像側へ順に配置された、正の屈折力の第１レンズ群、負の屈折力の第２レンズ群、正の屈折力の第３レンズ群、正の屈折力の第４レンズ群、負の屈折力の第５レンズ群より構成され、
ズーミングに際して、前記第１レンズ群と前記第２レンズ群と前記第３レンズ群と前記第４レンズ群は互いに異なる軌跡で移動し、前記第４レンズ群と前記第５レンズ群は互いに同じ軌跡で移動し、
前記第２レンズ群と前記第４レンズ群の間に開口絞りが配置されており、
前記第４レンズ群は１枚の正レンズより構成されており、
無限遠物体から近距離物体へのフォーカシングに際して、前記第５レンズ群が像側へ移動することで前記第４レンズ群と前記第５レンズ群の間隔が変化し、
前記第４レンズ群の焦点距離をｆ４、前記第５レンズ群の焦点距離をｆ５、広角端において無限遠物体に合焦しているときの前記第４レンズ群と前記第５レンズ群の合成焦点距離をｆ４５ｗ、広角端における全系の焦点距離をｆｗとするとき、
０．８＜ｆ４／｜ｆ５｜＜１．５
−０．２０＜ｆｗ／ｆ４５ｗ＜０．２５
なる条件式を満足することを特徴とするズームレンズ。
【請求項１０】
前記第２レンズ群の焦点距離をｆ２とするとき、
１．０＜｜ｆ２｜／ｆｗ＜２．０
なる条件式を満足することを特徴とする請求項１乃至９のいずれか１項に記載のズームレンズ。
【請求項１１】
広角端において無限遠物体に合焦しているときの前記第４レンズ群の最も物体側のレンズ面頂点から前記第５レンズ群の最も像側のレンズ面頂点までの距離をＤ４５ｗ、望遠端において無限遠物体に合焦しているときの前記第４レンズ群の前記レンズ面頂点から前記第５レンズ群の前記レンズ面頂点までの距離をＤ４５ｔとするとき、
０．６＜（Ｄ４５ｗ＋Ｄ４５ｔ）／ｆｗ＜１．５
なる条件式を満足することを特徴とする請求項１乃至１０のいずれか１項に記載のズームレンズ。
【請求項１２】
請求項１乃至１１のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズに関し、例えば、ビデオカメラ、デジタルスチルカメラ、ＴＶカメラ、監視用カメラ等の撮像装置に用いる撮像光学系に好適なものである。
【背景技術】
【０００２】
近年、撮像装置に用いられる撮像光学系には、広画角かつ高ズーム比のズームレンズであること、大型の撮像素子に対応しつつ光学系が小型であること等が要望されている。撮像光学系として、物体側から像側へ順に、正、負、正、正、負の屈折力の第１レンズ群乃至第５レンズ群より構成され、フォーカシングに際して最も像側のレンズ群が移動する５群ズームレンズが知られている（特許文献１、２）。また、ズームレンズの広角端における歪曲収差を許容し、歪曲収差を画像処理で補正するようにしたズームレンズが知られている（特許文献３）。
【先行技術文献】
【特許文献】
【０００３】
【特許文献１】特開２００６−３０１５４３号公報
【特許文献２】特公平５−２９８８６号公報
【特許文献３】特開２０１０−１８１５４３号公報
【発明の概要】
【発明が解決しようとする課題】
【０００４】
歪曲収差を画像処理で補正する電子歪曲補正機能を有する撮像装置に用いられるズームレンズは、歪曲収差が許容されるため、広画角化を図りつつ小型化しやすい。しかしながら、このようなズームレンズは広角領域においてフォーカシングする際、像面湾曲の変動と球面収差の変動が増大してくる。前述した５群ズームレンズにおいて、全系の小型化及び高ズーム比化を図りつつ、全ズーム範囲、全物体距離にわたり高い光学性能を得るためには、開口絞りの位置や各レンズ群の屈折力等を適切に設定することが重要になってくる。
【０００５】
本発明は、全系が小型で、高ズーム比で、高い光学性能を有するズームレンズ及びそれを有する撮像装置を提供することを目的とする。
【課題を解決するための手段】
【０００６】
本発明のズームレンズは、物体側から像側へ順に配置された、正の屈折力の第１レンズ群、負の屈折力の第２レンズ群、正の屈折力の第３レンズ群、正の屈折力の第４レンズ群、負の屈折力の第５レンズ群より構成され、
ズーミングに際して、前記第１レンズ群と前記第２レンズ群の間隔、前記第２レンズ群と前記第３レンズ群の間隔、前記第３レンズ群と前記第４レンズ群の間隔が変化し、
ズーミングおよびフォーカシングの少なくとも一方に際して、前記第４レンズ群と前記第５レンズ群の間隔が変化し、
前記第２レンズ群と前記第４レンズ群の間に開口絞りが配置されており、
前記第５レンズ群は１枚の負レンズより構成されており、
無限遠物体から近距離物体へのフォーカシングに際して、前記第５レンズ群は像側へ移動し、
前記第４レンズ群の焦点距離をｆ４、前記第５レンズ群の焦点距離をｆ５、広角端において無限遠物体に合焦しているときの前記第４レンズ群と前記第５レンズ群の合成焦点距離をｆ４５ｗ、広角端における全系の焦点距離をｆｗ、前記第５レンズ群に含まれる負レンズの物体側のレンズ面及び像側のレンズ面の曲率半径を各々Ｒ５ｎｆ及びＲ５ｎｒとするとき、
０．８＜ｆ４／｜ｆ５｜＜１．５
−０．２０＜ｆｗ／ｆ４５ｗ＜０．２５
０．０＜（Ｒ５ｎｒ＋Ｒ５ｎｆ）／（Ｒ５ｎｒ−Ｒ５ｎｆ）＜３．０
なる条件式を満足することを特徴としている。
この他本発明のズームレンズは、物体側から像側へ順に配置された、正の屈折力の第１レンズ群、負の屈折力の第２レンズ群、正の屈折力の第３レンズ群、正の屈折力の第４レンズ群、負の屈折力の第５レンズ群より構成され、
ズーミングに際して、前記第１レンズ群と前記第２レンズ群と前記第３レンズ群と前記第４レンズ群は互いに異なる軌跡で移動し、前記第４レンズ群と前記第５レンズ群は互いに同じ軌跡で移動し、
前記第２レンズ群と前記第４レンズ群の間に開口絞りが配置されており、
前記第５レンズ群は１枚の負レンズより構成されており、
無限遠物体から近距離物体へのフォーカシングに際して、前記第５レンズ群が像側へ移動することで前記第４レンズ群と前記第５レンズ群の間隔が変化し、
前記第４レンズ群の焦点距離をｆ４、前記第５レンズ群の焦点距離をｆ５、広角端において無限遠物体に合焦しているときの前記第４レンズ群と前記第５レンズ群の合成焦点距離をｆ４５ｗ、広角端における全系の焦点距離をｆｗとするとき、
０．８＜ｆ４／｜ｆ５｜＜１．５
−０．２０＜ｆｗ／ｆ４５ｗ＜０．２５
なる条件式を満足することを特徴としている。
この他本発明のズームレンズは、物体側から像側へ順に配置された、正の屈折力の第１レンズ群、負の屈折力の第２レンズ群、正の屈折力の第３レンズ群、正の屈折力の第４レンズ群、負の屈折力の第５レンズ群より構成され、
ズーミングに際して、前記第１レンズ群と前記第２レンズ群の間隔、前記第２レンズ群と前記第３レンズ群の間隔、前記第３レンズ群と前記第４レンズ群の間隔が変化し、
ズーミングおよびフォーカシングの少なくとも一方に際して、前記第４レンズ群と前記第５レンズ群の間隔が変化し、
前記第２レンズ群と前記第４レンズ群の間に開口絞りが配置されており、
前記第４レンズ群は１枚の正レンズより構成されており、
無限遠物体から近距離物体へのフォーカシングに際して、前記第５レンズ群は像側へ移動し、
前記第４レンズ群の焦点距離をｆ４、前記第５レンズ群の焦点距離をｆ５、広角端において無限遠物体に合焦しているときの前記第４レンズ群と前記第５レンズ群の合成焦点距離をｆ４５ｗ、広角端における全系の焦点距離をｆｗ、前記第５レンズ群に含まれる負レンズの物体側のレンズ面及び像側のレンズ面の曲率半径を各々Ｒ５ｎｆ及びＲ５ｎｒとするとき、
０．８＜ｆ４／｜ｆ５｜＜１．５
−０．２０＜ｆｗ／ｆ４５ｗ＜０．２５
０．０＜（Ｒ５ｎｒ＋Ｒ５ｎｆ）／（Ｒ５ｎｒ−Ｒ５ｎｆ）＜３．０
なる条件式を満足することを特徴としている。
この他本発明のズームレンズは、物体側から像側へ順に配置された、正の屈折力の第１レンズ群、負の屈折力の第２レンズ群、正の屈折力の第３レンズ群、正の屈折力の第４レンズ群、負の屈折力の第５レンズ群より構成され、
ズーミングに際して、前記第１レンズ群と前記第２レンズ群と前記第３レンズ群と前記第４レンズ群は互いに異なる軌跡で移動し、前記第４レンズ群と前記第５レンズ群は互いに同じ軌跡で移動し、
前記第２レンズ群と前記第４レンズ群の間に開口絞りが配置されており、
前記第４レンズ群は１枚の正レンズより構成されており、
無限遠物体から近距離物体へのフォーカシングに際して、前記第５レンズ群が像側へ移動することで前記第４レンズ群と前記第５レンズ群の間隔が変化し、
前記第４レンズ群の焦点距離をｆ４、前記第５レンズ群の焦点距離をｆ５、広角端において無限遠物体に合焦しているときの前記第４レンズ群と前記第５レンズ群の合成焦点距離をｆ４５ｗ、広角端における全系の焦点距離をｆｗとするとき、
０．８＜ｆ４／｜ｆ５｜＜１．５
−０．２０＜ｆｗ／ｆ４５ｗ＜０．２５
なる条件式を満足することを特徴としている。
【発明の効果】
【０００７】
本発明によれば、全系が小型で、高ズーム比で、高い光学性能を有するズームレンズが得られる。
【図面の簡単な説明】
【０００８】
【図１】実施例１の広角端におけるレンズ断面図
【図２】実施例１の無限遠物体に合焦しているときの縦収差図
【図３】実施例１の有限距離物体に合焦しているときの縦収差図
【図４】実施例２の広角端におけるレンズ断面図
【図５】実施例２の無限遠物体に合焦しているときの縦収差図
【図６】実施例２の有限距離物体に合焦しているときの縦収差図
【図７】実施例３の広角端におけるレンズ断面図
【図８】実施例３の無限遠物体に合焦しているときの縦収差図
【図９】実施例３の有限距離物体に合焦しているときの縦収差図
【図１０】本発明の撮像装置の要部概略図
【発明を実施するための形態】
【０００９】
以下に、本発明の好ましい実施の形態を、添付の図面に基づいて説明する。本発明のズームレンズは、物体側から像側へ順に、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５より構成される。隣り合うレンズ群の間隔がズーミングおよびフォーカシングの少なくとも一方のために変化する。ズーミングに際して各レンズ群が移動する。
【００１０】
図１は、本発明の実施例１のズームレンズの広角端（短焦点距離端）におけるレンズ断面図である。図２（Ａ）、（Ｂ）、（Ｃ）はそれぞれ実施例１のズームレンズの無限遠物体に合焦時の広角端、中間のズーム位置、望遠端（長焦点距離端）における縦収差図である。図３（Ａ）、（Ｂ）、（Ｃ）はそれぞれ実施例１のズームレンズの有限距離物体に合焦時の広角端、中間のズーム位置、望遠端における縦収差図である。
【００１１】
ここで有限距離物体とは後述する数値例をｍｍ単位で表したとき、広角端においては第１レンズ面から１００ｍｍ（Ｏｂｊ＝−１００）、中間のズーム位置と望遠端においては第１レンズ面から５００ｍｍ（Ｏｂｊ＝−５００）である。実施例１はズーム比５．６６、Ｆナンバー１．７５〜５．０４のズームレンズである。
【００１２】
図４は、本発明の実施例２のズームレンズの広角端におけるレンズ断面図である。図５（Ａ）、（Ｂ）、（Ｃ）はそれぞれ実施例２のズームレンズの無限遠物体に合焦時の広角端、中間のズーム位置、望遠端における縦収差図である。図６（Ａ）、（Ｂ）、（Ｃ）はそれぞれ実施例２のズームレンズの有限距離物体に合焦時の広角端、中間のズーム位置、望遠端における縦収差図である。
【００１３】
ここで有限距離物体とは後述する数値例をｍｍ単位で表したとき、広角端においては第１レンズ面から１００ｍｍ（Ｏｂｊ＝−１００）、中間のズーム位置と望遠端においては第１レンズ面から５００ｍｍ（Ｏｂｊ＝−５００）である。実施例２はズーム比３．７８、Ｆナンバー１．４４〜５．００のズームレンズである。
【００１４】
図７は、本発明の実施例３のズームレンズの広角端におけるレンズ断面図である。図８（Ａ）、（Ｂ）、（Ｃ）はそれぞれ実施例３のズームレンズの無限遠物体に合焦時の広角端、中間のズーム位置、望遠端における縦収差図である。図９（Ａ）、（Ｂ）、（Ｃ）はそれぞれ実施例３のズームレンズの有限距離物体に合焦時の広角端、中間のズーム位置、望遠端における縦収差図である。
【００１５】
ここで有限距離物体とは後述する数値例をｍｍ単位で表したとき、広角端においては第１レンズ面から２００ｍｍ（Ｏｂｊ＝−２００）、中間のズーム位置と望遠端においては第１レンズ面から８００ｍｍ（Ｏｂｊ＝−８００）である。実施例３はズーム比５．３５、Ｆナンバー３．０２〜６．４２のズームレンズである。図１０は本発明の撮像装置の要部概略図である。
【００１６】
各実施例のズームレンズは監視カメラ、ビデオカメラ、デジタルスチルカメラ、銀塩フィルムカメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。
【００１７】
ＳＳは開口絞りである。ＦＣはフレアーカット絞りである。Ｇは光学フィルター、フェースプレート、ローパスフィルター、赤外カットフィルターなどに相当する光学ブロックである。ＩＰは像面である。像面ＩＰは、ビデオカメラやデジタルカメラの撮像光学系として使用する際には、ＣＣＤセンサやＣＭＯＳセンサなどの固体撮像素子（光電変換素子）の撮像面に相当する。銀塩フィルムカメラの撮影光学系として使用する際には、フィルム面に相当する。
【００１８】
矢印は広角端から望遠端へのズーミング（変倍）における各レンズ群の移動軌跡と、無限遠物体から近距離物体へのフォーカシングの際のレンズ群の移動方向を示している。球面収差図において、ｄはｄ線（波長５８７．６ｎｍ）、ｇはｇ線（波長４３５．８ｎｍ）である。非点収差図でΔＳはｄ線におけるサジタル像面、ΔＭはｄ線におけるメリディオナル像面である。歪曲収差においてｄはｄ線である。倍率色収差図においてｇはｇ線である。収差図においてＦｎｏはＦナンバー、ωは半画角（度）である。
【００１９】
実施例１乃至３のズームレンズは、それぞれ後述する実施例１乃至３の数値例に対応する。各レンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は負の屈折力の第５レンズ群である。各実施例のズームレンズは隣り合うレンズ群の間隔がズーミングおよびフォーカシングの少なくとも一方のために変化する。
【００２０】
本発明のズームレンズは、正の屈折力のレンズ群が最も物体側に配置されたポジティブリード型のズームレンズを採用することで、高ズーム比化と全系の小型化を図っている。また、第４レンズ群Ｌ４を正の屈折力、第５レンズ群Ｌ５を負の屈折力とした望遠型配置を採用している。これにより、光学系全系の射出瞳位置を像側に設定し、バックフォーカスを短縮することで、大型の撮像素子に対応しつつレンズ全長（第１レンズ面から最終レンズ面までの距離に空気換算でのバックフォーカスを加えた値）の短縮を図っている。
【００２１】
また、無限遠距離物体から有限距離物体へのフォーカシングに際し、第５レンズ群Ｌ５を像側へ移動させるリアフォーカス方式を採用している。即ち、第４レンズ群Ｌ４と第５レンズ群Ｌ５の間隔はフォーカシングに際して変化する。小型で軽量な第５レンズ群Ｌ５をフォーカスレンズ群とすることで、レンズ鏡筒の小型化を容易にしている。また、各実施例のズームレンズは、広角端における負の歪曲収差を許容し、歪曲収差を画像処理で補正するようにすることで、光学系全系の小型化を追求したレンズ構成としている。
【００２２】
ここで、撮像素子のサイズを大型化していくと、広角端における全系の焦点距離は大きくなる。このとき、光学系の小型化のため広角端で負の歪曲を大きく残存させると、近距離物体への合焦時、物体の距離変動に応じて像面湾曲が発生する。そのため、このときの像面湾曲はフォーカスレンズ群の移動による収差変動を用いて良好に補正する必要がある。ここで、無限遠物体合焦時に第４レンズ群Ｌ４とペアで球面収差を補正している第５レンズ群Ｌ５をフォーカスレンズ群とすることで、近距離物体への合焦時、フォーカスレンズ群の移動により球面収差を発生させる構成としている。
【００２３】
これにより、フォーカスレンズ群の移動で生じる球面収差で、負の歪曲収差の発生に起因する像面湾曲を相殺し、像面の平坦性を確保している。
【００２４】
各実施例のズームレンズでは、開口絞りＳＳが第２レンズ群Ｌ２と第４レンズ群Ｌ４の間に配置されている。無限遠物体から近距離物体へのフォーカシングに際して、第５レンズ群Ｌ５は像側に移動する。第４レンズ群Ｌ４の焦点距離をｆ４、第５レンズ群Ｌ５の焦点距離をｆ５とする。このとき、
０．８＜ｆ４／｜ｆ５｜＜１．５    ・・・（１）
なる条件式を満足する。
【００２５】
次に、条件式（１）の技術的意味について説明する。条件式（１）は、第４レンズ群Ｌ４の屈折力と第５レンズ群Ｌ５の屈折力の比を規定している。
【００２６】
本発明のズームレンズでは、第４レンズ群Ｌ４と第５レンズ群Ｌ５の屈折力が望遠型の構成となるようにして、全系の射出瞳位置を像側に設定するとともに、第４レンズ群Ｌ４と第５レンズ群Ｌ５の合成系において球面収差を良好に補正している。第４レンズ群Ｌ４の屈折力と第５レンズ群Ｌ５の屈折力の比を最適化することで、バックフォーカスを短縮してレンズ全長を短縮しつつ、ズーム全域で良好な光学性能を得ている。また、条件式（１）を満たす屈折力配置によりフォーカスレンズ群の敏感度を最適化し、近距離物体への合焦時におけるフォーカスレンズ群の移動量を短縮している。
【００２７】
条件式（１）の下限値を超えると、第４レンズ群Ｌ４の焦点距離が第５レンズ群Ｌ５の焦点距離の絶対値と比して小さくなりすぎる。このとき、第４レンズ群と第５レンズ群により構成される望遠型の屈折力配置が緩まりすぎるため、バックフォーカスが増大することにより光学系の全長が大型化してしまう。また、フォーカスレンズ群Ｌ５の位置敏感度が小さくなりすぎる構成となり、近距離物体へのフォーカス時におけるレンズ群移動量が増大しすぎてしまう。
【００２８】
また条件式（１）の上限値を超えると、第４レンズ群Ｌ４の焦点距離が第５レンズ群Ｌ５の焦点距離の絶対値と比して大きくなりすぎる。このとき、第４レンズ群と第５レンズ群により構成される望遠型の屈折力配置が強まりすぎるため、バックフォーカスの確保が困難となるとともに、像面への光線入射角が大きくなりすぎるのでよくない。各実施例において、より好ましくは、条件式（１）の数値範囲を次の如く設定するのが良い。
０．８５＜ｆ４／｜ｆ５｜＜１．３５    ・・・（１ａ）
各実施例において、さらに好ましくは、条件式（１ａ）の数値範囲を次の如設定するのが良い。
０．９０＜ｆ４／｜ｆ５｜＜１．２０    ・・・（１ｂ）
【００２９】
次に各実施例において、更に好ましい構成について説明する。広角端において無限遠物体に合焦しているときの第４レンズ群Ｌ４と第５レンズ群Ｌ５の合成焦点距離をｆ４５ｗ、広角端における全系の焦点距離をｆｗとする。第２レンズ群Ｌ２の焦点距離をｆ２とする。
【００３０】
広角端において無限遠物体に合焦しているときの第４レンズ群Ｌ４の最も物体側のレンズ面頂点から第５レンズ群Ｌ５の最も像側のレンズ面頂点までの距離をＤ４５ｗとする。望遠端において無限遠物体に合焦しているときの第４レンズ群Ｌ４の最も物体側のレンズ面頂点から第５レンズ群Ｌ５の最も像側のレンズ面頂点までの距離をＤ４５ｔとする。第５レンズ群Ｌ５に含まれるレンズのうち少なくとも１つの負レンズの物体側のレンズ面の曲率半径と、像側のレンズ面の曲率半径を各々Ｒ５ｎｆ、Ｒ５ｎｒとする。このとき次の条件式のうち１つ以上を満足するのが良い。
【００３１】
−０．２０＜ｆｗ／ｆ４５ｗ＜０．２５    ・・・（２）
１．０＜｜ｆ２｜／ｆｗ＜２．０          ・・・（３）
０．６＜（Ｄ４５ｗ＋Ｄ４５ｔ）／ｆｗ＜１．５  ・・・（４）
０．０＜（Ｒ５ｎｒ＋Ｒ５ｎｆ）／（Ｒ５ｎｒ−Ｒ５ｎｆ）＜３．０  ・・・（５）
【００３２】
次に前述した各条件式の技術的意味について説明する。条件式（２）は、広角端において無限遠物体に合焦しているときの第４レンズ群Ｌ４と第５レンズ群Ｌ５よりなる合成系（後側合成系）の合成焦点距離を規定している。無限遠物体に合焦しているときの後側合成系の合成焦点距離を最適化し、後側合成系の横倍率を適切に設定している。これにより、第１レンズ群Ｌ１乃至第３レンズ群Ｌ３にて構成される前側合成系の合成焦点距離を短焦点距離化し、全系のバックフォーカスを短縮することで、レンズ全長を短縮している。
【００３３】
条件式（２）の下限を超えて、後側合成系の負の屈折力が強くなりすぎると（負の屈折力の絶対値が大きくなると）前側合成系で生じる収差が後側合成系で拡大しすぎる構成となる。この結果、収差補正のために後側合成系のレンズ枚数が増加し全系の小型化が困難となる。一方、上限を超えて、後側合成系の正の屈折力が強くなりすぎると、（正の屈折力の絶対値が大きくなりすぎると）、バックフォーカスの短縮が困難となりレンズ全長が増大するのでよくない。
【００３４】
条件式（３）は第２レンズ群Ｌ２の焦点距離を規定している。第２レンズ群Ｌ２の負の焦点距離を適切に設定することで、高ズーム比化を図りつつ、全系の小型化を図っている。条件式（３）の下限を超えて、第２レンズ群Ｌ２の焦点距離が短くなりすぎると（負の焦点距離の絶対値が小さくなりすぎると）、広角端において全系の屈折力配置が弱い望遠型となり、全系が大型化してしまう。一方、上限を超えて、第２レンズ群Ｌ２の負の焦点距離が長くなりすぎると（負の焦点距離の絶対値が大きくなりすぎると）、全体が大型化してくる。
【００３５】
条件式（４）は、広角端において無限遠物体に合焦しているときの後側合成系の合成厚と望遠端において無限遠物体に合焦しているときの後側合成系の合成厚との比を規定している。後側合成系の合成厚を適切に設定することで、後側合成系を鏡筒構造上、一体に配置出来る構成としてレンズ鏡筒に配置するカムを削減し、更に沈胴時の薄型化を図っている。
【００３６】
条件式（４）の下限を超えて、後側合成系の合成厚が薄くなりすぎると、第４レンズ群Ｌ４と第５レンズ群Ｌ５の間隔が短くなりすぎて、広角端において球面収差や像面湾曲の補正が困難となる。一方、上限を超えて、後側合成系の合成厚が厚くなりすぎると、第４レンズ群Ｌ４と第５レンズ群Ｌ５の間隔が長くなりすぎる。このとき、第４レンズ群Ｌ４と第５レンズ群Ｌ５は別体の鏡筒構造、カム溝で駆動することとなりレンズ鏡筒の沈胴厚が増加してしまうのでよくない。
【００３７】
条件式（５）は第５レンズ群Ｌ５に含まれるレンズのうち、少なくとも１つの負レンズのレンズ形状を規定している。フォーカスレンズ群である第５レンズ群Ｌ５に含まれる負レンズのレンズ形状を適切に設定することで、広角端におけるフォーカシング時の球面収差の変動と像面湾曲の変動を低減している。広角端において負の歪曲を残存させたズームレンズにおいては、無限遠物体から近距離物体へのフォーカシングに際して像面湾曲の変動が増大する。
【００３８】
像面湾曲の変動を球面収差の制御による軸上ベスト像面位置の移動で補正しようとする場合、無限遠物体から近距離物体へのフォーカシングに際して、フォーカスレンズ群の移動によって球面収差のみが適切に発生するレンズ構成とすることが重要となる。ここで、第５レンズ群Ｌ５に含まれる負レンズが非球面を含む場合は、条件式（５）のレンズ面の曲率半径は各レンズ面の曲率半径として近軸曲率半径をとるものとする。また、負レンズが複合非球面を含む場合は、条件式（５）のレンズ面の曲率半径は各レンズ面の曲率半径として空気と接している各レンズ面の近軸曲率半径をとるものとする。
【００３９】
条件式（５）の下限を超えて、第５レンズ群Ｌ５に含まれる負レンズのレンズ形状が像側に凹面を向けたメニスカス形状となると、無限遠物体から近距離物体へのフォーカシングに際して球面収差とともに像面湾曲が増大してくる。一方、上限を超えると、第５レンズ群Ｌ５に含まれる負レンズは屈折力が弱いレンズ形状となり、無限遠物体から近距離物体へのフォーカシングに際して球面収差の発生が小さくなりすぎ、像面湾曲の変動の補正が困難となる。
【００４０】
各実施例において、より好ましくは、条件式（２）乃至（５）の数値範囲を以下の範囲とするのがよい。
【００４１】
−０．１５＜ｆｗ／ｆ４５ｗ＜０．２０    ・・・（２ａ）
１．１＜｜ｆ２｜／ｆｗ＜１．９          ・・・（３ａ）
０．７０＜（Ｄ４５ｗ＋Ｄ４５ｔ）／ｆｗ＜１．２５    ・・・（４ａ）
０．１＜（Ｒ５ｎｒ＋Ｒ５ｎｆ）／（Ｒ５ｎｒ−Ｒ５ｎｆ）＜２．０  ・・・（５ａ）
各実施例において、さらに好ましくは、条件式（２ａ）乃至（５ａ）の数値範囲を以下の範囲とするのがよい。
【００４２】
−０．１０＜ｆｗ／ｆ４５ｗ＜０．１５    ・・・（２ｂ）
１．２＜｜ｆ２｜／ｆｗ＜１．８          ・・・（３ｂ）
０．８０＜（Ｄ４５ｗ＋Ｄ４５ｔ）／ｆｗ＜１．００    ・・・（４ｂ）
０．２＜（Ｒ５ｎｒ＋Ｒ５ｎｆ）／（Ｒ５ｎｒ−Ｒ５ｎｆ）＜１．５  ・・・（５ｂ）
【００４３】
また、各実施例では、第５レンズ群Ｌ５を１枚の負レンズで構成している。これにより、第５レンズ群Ｌ５を最小レンズ枚数で構成し、沈胴時の薄型化を容易にしている。また、各実施例では第４レンズ群Ｌ４を１枚の正レンズ１枚で構成している。これにより第４レンズ群Ｌ４を最小レンズ枚数で構成し、沈胴時の薄型化を容易にしている。また、実施例１では、無限遠物体に合焦しているときの広角端から望遠端へのズーミングに際して、第４レンズ群Ｌ４と第５レンズ群Ｌ５を一体で移動する構成としている。これにより、レンズ鏡筒の構造を簡略化し、レンズ鏡筒の小型化と沈胴厚の薄型化を容易にしている。
【００４４】
以上のように、各実施例によれば、ズーム比が大きく、全系が小型で、近距離撮影においても良好なる光学性能が容易に得られるズームレンズを得ることができる。次に各実施例のズームレンズのレンズ構成について説明する。
【００４５】
［実施例１］
以下、図１を参照して、本発明の実施例１のズームレンズについて説明する。実施例１は、物体側から像側へ順に、正、負、正、正、負の屈折力の第１レンズ群Ｌ１乃至第５レンズ群Ｌ５よりなる５群ズームレンズであり、ズーミングに際して各レンズ群が移動する。広角端に比べて望遠端において、第１レンズ群Ｌ１と第２レンズ群Ｌ２は間隔が拡がり、第２レンズ群Ｌ２と第３レンズ群Ｌ３の間隔が狭まり、第３レンズ群Ｌ３と第４レンズ群Ｌ４の間隔が拡がる。ズーミングに際して、第４レンズ群Ｌ４と第５レンズ群Ｌ５は一体的に（同一の軌跡で）移動するため、鏡筒構造を簡略化することができる。
【００４６】
広角端から望遠端へのズーミングに際して第１、第３、第４、第５レンズ群は共に物体側に移動する。これにより変倍を分担するとともに、第４レンズ群Ｌ４と第５レンズ群Ｌ５の有効径を小型化している。開口絞りＳＳは第３レンズ群Ｌ３の像側に配置され、広角端から望遠端へのズーミングに際して各レンズ群とは異なった軌跡で物体側へ移動している。これにより、開口絞りＳＳの開口径の小型化を図っている。
【００４７】
また、無限遠物体から有限距離物体へのフォーカシングに際して第５レンズ群Ｌ５が像側へ移動するリアフォーカス方式を用いている。第５レンズ群Ｌ５は、非球面を含む１枚の負レンズで構成し、フォーカスレンズ群を小型軽量化して迅速な合焦動作（フォーカス動作）を容易にしている。
【００４８】
また、第１レンズ群Ｌ１は、物体側から像側へ順に、負レンズと正レンズを接合した接合レンズで構成し、第１レンズ群Ｌ１内の色消しを行っている。また、第２レンズ群Ｌ２は、物体側から像側へ順に、非球面を含む負レンズ、負レンズ、正レンズの３枚のレンズで構成し、第２レンズ群Ｌ２の主点位置を物体側に比較的物体側に配置することで光学系の小型化を図っている。また、第３レンズ群Ｌ３は、物体側から像側へ順に、非球面を含む正レンズ、正レンズと負レンズを接合した接合レンズ、非球面を含む正レンズの４枚構成としている。
【００４９】
第３レンズ群Ｌ３を対称性の高いレンズ構成として第３レンズ群Ｌ３内で非対称収差を良好に補正することで、ズーミングに際しての収差変動を良好に補正している。また、第４レンズ群Ｌ４は１枚の正レンズで構成し、第５レンズ群Ｌ５を１枚の負レンズより構成し、光学系沈胴時の薄型化を容易にしている。
【００５０】
［実施例２］
以下、図４を参照して、本発明の実施例２のズームレンズについて説明する。実施例２のズームレンズのズームタイプ、フォーカス方式は図１の実施例１と同じである。実施例２は実施例１と比較して、ズーム比、口径比（Ｆナンバー）、第４レンズ群Ｌ４と第５レンズ群Ｌ５のズーム軌跡、第１レンズ群のレンズ構成、第３レンズ群のレンズ構成が異なっている。
【００５１】
実施例２では、広角端から望遠端へのズーミングに際して、第４レンズ群Ｌ４と第５レンズ群Ｌ５が互いに異なる軌跡で移動することにより、ズーミングに伴う像面湾曲の変動を良好に補正している。また、第１レンズ群Ｌ１は１枚の正レンズで構成し、沈胴厚の更なる薄型化を容易にしている。また、第３レンズ群Ｌ３は、物体側から像側へ順に、非球面を含む正レンズ、正レンズ、正レンズと負レンズを接合した接合レンズ、非球面を含む正レンズより構成している。実施例１に比べて第３レンズ群のレンズ枚数を増加し、広角端において大口径化を実現している。
【００５２】
［実施例３］
以下、図７を参照して、本発明の実施例３のズームレンズについて説明する。実施例３のズームレンズのズームタイプ、フォーカス方式等は図４の実施例２と同じである。実施例３は実施例２と比較して、ズーム比、口径比、撮像有効面のサイズ、第３レンズ群Ｌ３のレンズ構成、開口絞りＳＳの配置等が異なっている。第３レンズ群Ｌ３は、物体側から像側へ順に、非球面を含む正レンズ、正レンズと負レンズを接合した接合レンズ、非球面を含む正レンズの４枚構成としている。
【００５３】
実施例３では、開口絞りＳＳを第２レンズ群Ｌ２と第３レンズ群Ｌ３の間に配置し、広角端から望遠端へのズーミングに際して各レンズ群とは異なる軌跡で物体側へ移動させている。これにより結像光線を適切にカットすることで下線フレア成分の補正を図っている。
【００５４】
以上、各実施例のズームレンズは、いずれも物体側から像側へ順に、正、負、正、正、負の屈折力の第１レンズ群Ｌ１乃至第５レンズ群Ｌ５の５つのレンズ群により構成している。第２レンズ群Ｌ２と第４レンズ群Ｌ４との間に開口絞りＳＳを配置している。また、無限遠物体から近距離物体へのフォーカシングに際して第５レンズ群Ｌ５が像側へ移動するリアフォーカス方式を採用している。また、いずれの実施例においても、高ズーム比で近距離物体の撮影においても良好なる光学性能が容易に得られる小型のズームレンズを実現している。
【００５５】
以上、本発明の好ましい実施形態について説明したが、本発明はこれらの実施形態に限定されず、その要旨の範囲内で種々の変形及び変更が可能である。例えば、各実施例のズームレンズにおいて、ズーミングに際してＦナンバーの変動を軽減するため、ズーム位置に応じて開口絞りＳＳの開口径を変化させるような制御を行ってもよい。また、ズームレンズに残存する歪曲収差は、撮像装置に適用したとき、画像処理で補正するのが良い。また、手ぶれ（像ぶれ）の補正に際しては、第３レンズ群Ｌ３全体、もしくはその一部の部分群を光軸に対して垂直方向の成分を持つ方向に移動することで行っても良い。
【００５６】
次に本発明の撮像装置の一例としてデジタルスチルカメラを用いたときの実施例を図１０を用いて説明する。図１０において、２０はカメラ本体、２１は本発明に係るズームレンズによって構成された撮像光学系である。２２はカメラ本体に内蔵され、撮像光学系２１によって形成された被写体像を受光するＣＣＤセンサやＣＭＯＳセンサ等の固体撮像素子（光電変換素子）である。
【００５７】
２３は撮像素子２２によって光電変換された被写体像に対応する情報を記録するメモリである。２４は液晶ディスプレイパネル等によって構成され、固体撮像素子２２上に形成された被写体像を観察するためのファインダーである。このように本発明によれば、小型で高い光学性能を有する撮像装置が得られる。
【００５８】
次に、本発明の実施例１乃至３に対応する実施例１乃至３の具体的な数値データを示す。各実施例において、ｉは物体側から数えた順序を示し、ｒｉは第ｉ番目の光学面（第ｉ面）の曲率半径である。ｄｉは第ｉ面と第ｉ＋１面との間の軸上間隔を示す。ｎｄｉ、νｄｉはそれぞれｄ線に対する第ｉ番目の光学部材の材料の屈折率、アッベ数を示す。＊は非球面であることを示す。また、最も像側の４面はフェースプレート等のガラス材である。また、ｋは円錐定数、Ａ４、Ａ６、Ａ８、Ａ１０は非球面係数である。非球面形状は光軸からの高さｈの位置での光軸方向の変位を面頂点を基準にしてｘとするとき
【００５９】
ｘ＝（ｈ2／Ｒ）／［１＋｛１−（１＋ｋ）（ｈ／Ｒ）2｝1/2］＋Ａ４・ｈ4＋Ａ６・ｈ6＋Ａ８・ｈ8＋Ａ１０・ｈ10
で表される。但しＲは近軸曲率半径である。「ｅ−ｘ」は「１０−ｘ」を意味している。尚、バックフォーカスＢＦは最終レンズ面から像面までの空気換算での距離で表している。レンズ全長は第１レンズ面から最終レンズ面までの距離にバックフォーカスの値を加えた値である。又、前述の各条件式と各実施例との関係を表１に示す。
【００６０】
（実施例１）
単位 mm
面データ
面番号       r        d      nd         νd       有効径
1          ∞       0.00                         32.72
2         36.128    1.20   1.92286    18.9       27.71
3         27.418    4.10   1.77250    49.6       25.88
4        409.585  (可変)                         25.37
5*        72.855    1.00   1.85135    40.1       20.82
6*        10.254    5.39                         15.62
7        -21.263    0.60   1.80400    46.6       15.44
8         92.909    0.15                         15.63
9         28.141    1.88   1.95906    17.5       15.91
10       2014.729  (可変)                         15.80
11          ∞     (可変)                         12.19
12*        11.419    3.58   1.76802    49.2       13.97
13*       297.722    0.15                         13.28
14         10.738    3.33   1.59522    67.7       12.00
15       -238.442    0.55   2.00069    25.5       10.64
16          9.514    1.19                          9.34
17*        30.608    1.65   1.55332    71.7        9.25
18*       -34.871    0.50                          8.93
19(絞り)    ∞     (可変)                          8.54
20         23.533    2.16   1.62588    35.7       10.51
21        -20.912  (可変)                         10.59
22*       -11.067    0.50   1.74330    49.3       10.22
23*       -76.900  (可変)                         10.60
24          ∞       0.90   1.51633    64.1       25.00
25          ∞       1.30                         25.00
26          ∞       0.80   1.51633    64.1       25.00
27          ∞       0.50                         25.00
像面        ∞   
【００６１】
非球面データ
第5面
K = 0.00000e+000  A 4=-5.85485e-005  A 6= 8.39655e-007 
A 8=-6.91878e-009  A10= 1.99677e-011  
第6面
K = 0.00000e+000  A 4=-3.66470e-005  A 6=-3.73179e-009 
A 8= 2.28560e-008  A10=-2.32562e-010  
第12面
K =-5.70522e-001  A 4= 3.78879e-005  A 6= 7.06974e-007 
A 8= 1.93916e-009  
第13面
K = 0.00000e+000  A 4= 5.77267e-005  A 6= 7.39995e-007 
A 8=-9.04962e-009  
第17面
K = 0.00000e+000  A 4=-1.16897e-004  A 6=-4.46907e-006 
A 8= 1.50763e-007  
第18面
K = 0.00000e+000  A 4= 5.08351e-005  A 6=-3.32981e-006 
A 8= 3.20837e-007  
第22面
K = 0.00000e+000  A 4= 2.50842e-004  A 6= 3.14684e-007 
A 8=-4.22043e-008  
第23面
K = 0.00000e+000  A 4= 1.73505e-004  A 6=-2.95397e-007  A 8=-5.09686e-008  A10= 3.07982e-010  
【００６２】
各種データ
ズーム比     5.66 
広角     中間     望遠
焦点距離       9.27    22.76    52.50  
Fナンバー      1.75     3.40     5.04  
半画角（度）  34.95    19.37     8.66  
像高           6.48     8.00     8.00  
レンズ全長    60.23    62.70    75.35  
BF             6.83    13.60   16.28  
d 4            0.36     8.14    19.69  
d10           16.46     6.82     1.42  
d11            3.02    -0.08    -1.00  
d19            4.50     5.16     9.91  
d21            1.13     1.13     1.13  
d23            3.91    10.68    13.36  
入射瞳位置    18.54    34.09    77.99  
射出瞳位置   -12.64   -19.97   -26.81  
前側主点位置  21.27    31.55    29.55  
後側主点位置  -8.77   -22.26   -52.00  
【００６３】
ズームレンズ群データ
群  始面    焦点距離  レンズ構成長  前側主点位置  後側主点位置
L1    1      54.41         5.30        -0.49         -3.40
L2    5     -11.51         9.02         1.24         -5.98
FC   11       ∞           0.00         0.00         -0.00
L3   12      15.06        10.95        -1.82         -8.52
L4   20      18.03         2.16         0.72         -0.64
L5   22     -17.45         0.50        -0.05         -0.34
G    24       ∞           3.00         1.21         -1.21
【００６４】
単レンズデータ
レンズ  始面  焦点距離
1       1   -131.96
2       3     37.86
3       5    -14.12
4       7    -21.47
5       9     29.74
6      12     15.38
7      14     17.35
8      15     -9.13
9      17     29.73
10      20     18.03
11      22    -17.45
12      24      0.00
13      26      0.00
【００６５】
（実施例２）
単位 mm
面データ
面番号       r        d      nd         νd       有効径
1        225.876    2.40   1.90366    31.3       31.00
2       -120.457  (可変)                         30.22
3        -81.280    0.80   1.81000    41.0       25.19
4*        12.043    4.92                         19.58
5        109.679    0.80   1.49700    81.5       19.65
6         50.301    0.12                         19.66
7         17.358    1.85   1.92286    18.9       20.18
8         25.040  (可変)                         19.82
9          ∞     (可変)                         15.34
10*        14.564    3.77   1.85135    40.1       17.83
11*       202.498    0.09                         17.01
12         15.892    4.68   1.49700    81.5       16.17
13        -41.558    0.10                         14.78
14        317.875    0.99   1.49700    81.5       13.35
15        -64.180    0.60   1.85478    24.8       12.75
16          7.695    0.26                         10.59
17*         9.659    3.30   1.55332    71.7       10.60
18*       203.080    0.80                          9.80
19(絞り)    ∞     (可変)                          9.49
20         21.888    2.10   1.80518    25.4       11.00
21        -28.715  (可変)                         11.12
22        -20.641    0.80   1.85135    40.1       10.90
23*        46.024  (可変)                         11.30
24          ∞       1.20   1.51633    64.1       25.00
25          ∞       1.30                         25.00
26          ∞       0.80   1.51633    64.1       25.00
27          ∞       0.50                         25.00
像面        ∞   
【００６６】
非球面データ
第4面
K = 0.00000e+000  A 4=-6.49819e-006  A 6=-2.23872e-007 
A 8= 1.71957e-009  A10=-2.50266e-011  
第10面
K = 0.00000e+000  A 4= 1.87876e-005  A 6= 2.85430e-007 
A 8= 7.11917e-010  
第11面
K = 0.00000e+000  A 4= 1.12189e-004  A 6= 1.82564e-007  
第17面
K = 0.00000e+000  A 4= 3.72696e-004  A 6= 8.04819e-010  
第18面
K = 0.00000e+000  A 4= 2.51907e-004  A 6= 1.66633e-006  
第23面
K = 0.00000e+000  A 4=-1.86371e-005  A 6= 1.66944e-006 
A 8=-6.93461e-008  A10= 9.78446e-010  
【００６７】
各種データ
ズーム比     3.78 
広角     中間     望遠
焦点距離       9.47    21.76    35.80  
Fナンバー      1.44     3.04     5.00  
半画角（度）  35.28    20.18    12.60  
像高           6.70     8.00     8.00  
レンズ全長    64.32    61.43    71.16  
BF             5.45    12.31    17.96  
d 2            1.14     6.44    12.74  
d 8           19.16     5.20     2.88  
d 9            4.12     1.12    -1.88  
d19            4.63     6.56     9.59  
d21            1.43     1.39     1.46  
d23            2.33     9.19    14.84  
入射瞳位置    17.60    24.13    34.41  
射出瞳位置   -11.44   -20.01   -28.54  
前側主点位置  19.56    22.81    26.07  
後側主点位置  -8.97   -21.26   -35.30  
【００６８】
ズームレンズ群データ
群  始面    焦点距離  レンズ構成長  前側主点位置  後側主点位置
L1    1      87.22         2.40         0.82         -0.44
L2    3     -16.07         8.50        -0.16         -7.12
FC    9       ∞           0.00         0.00         -0.00
L3   10      17.28        14.60        -3.99        -11.37
L4   20      15.72         2.10         0.51         -0.67
L5   22     -16.65         0.80         0.13         -0.30
G    24       ∞           3.30         1.31         -1.31
【００６９】
単レンズデータ
レンズ  始面  焦点距離
1       1     87.22
2       3    -12.90
3       5   -187.79
4       7     54.94
5      10     18.26
6      12     23.77
7      14    107.54
8      15     -8.01
9      17     18.22
10      20     15.72
11      22    -16.65
12      24      0.00
13      26      0.00
【００７０】
（実施例３）
単位 mm
面データ
面番号       r        d      nd         νd       有効径
1         39.197    6.53   1.48749    70.2       43.98
2        146.569  (可変)                         42.17
3*        36.488    1.35   1.85135    40.1       31.66
4*        13.907    9.30                         23.52
5        -40.204    1.01   1.58848    61.4       22.95
6         55.214    0.20                         22.17
7         23.688    1.90   1.95149    18.1       22.02
8         39.933  (可変)                         21.65
9(絞り)    ∞     (可変)                         10.87
10*        11.962    3.57   1.72976    40.6       11.35
11*       123.938    0.16                         10.76
12         13.428    3.73   1.53329    71.1       10.31
13        -18.029    1.10   1.95992    28.5        9.13
14         11.067    0.25                          8.38
15*        14.276    1.92   1.55332    71.7        8.41
16*       349.620    1.50                          8.20
17          ∞     (可変)                          9.24
18         47.546    1.41   1.88727    22.1       13.40
19        -63.395  (可変)                         13.55
20        -16.011    1.35   1.55332    71.7       14.99
21*       857.724  (可変)                         16.75
22          ∞       2.40   1.51633    64.1       30.00
23          ∞       1.30                         30.00
24          ∞       0.80   1.51633    64.1       30.00
25          ∞       0.50                         30.00
像面        ∞   
【００７１】
非球面データ
第3面
K = 0.00000e+000  A 4= 3.98063e-006  A 6=-2.63471e-008  
第4面
K = 0.00000e+000  A 4= 8.60689e-006  A 6= 9.74760e-008 
A 8=-5.47023e-010  A10= 3.49207e-012  
第10面
K = 0.00000e+000  A 4= 1.45877e-005  A 6= 1.59885e-008 
A 8=-6.34946e-009  
第11面
K = 0.00000e+000  A 4= 3.60464e-005  A 6=-1.46542e-006  
第15面
K = 0.00000e+000  A 4= 3.75524e-004  A 6=-5.03527e-006  
第16面
K = 0.00000e+000  A 4= 4.95294e-004  A 6= 2.19547e-006  
第21面
K = 0.00000e+000  A 4=-2.17070e-005  A 6=-4.79914e-008 
A 8=-8.91089e-010  A10= 5.45928e-012  
【００７２】
各種データ
ズーム比     5.35 
広角     中間     望遠
焦点距離      15.45    46.56    82.60  
Fナンバー      3.02     4.75     6.42  
半画角（度）  36.66    16.35     9.39  
像高          11.50    13.66    13.66  
レンズ全長    81.81    94.47   112.37  
BF             9.10    20.35    31.23  
d 2            0.80    20.77    30.47  
d 8           23.01     4.19     0.90  
d 9            4.59     2.66     0.72  
d17            4.53     6.93    11.02  
d19            4.50     4.28     2.76  
d21            5.19    16.44    27.32  
入射瞳位置    26.26    55.70    77.68  
射出瞳位置   -25.16   -37.02   -49.87  
前側主点位置  32.41    44.47    24.83  
後側主点位置 -14.95   -46.06   -82.10  
【００７３】
ズームレンズ群データ
群  始面    焦点距離  レンズ構成長  前側主点位置  後側主点位置
L1    1     107.61         6.53        -1.57         -5.88
L2    3     -20.56        13.76         3.07         -8.04
SS    9       ∞           0.00         0.00         -0.00
L3   10      22.26        12.24        -5.98        -11.71
L4   18      30.80         1.41         0.32         -0.43
L5   20     -28.39         1.35         0.02         -0.85
G    22       ∞           4.50         1.71         -1.71
【００７４】
単レンズデータ
レンズ  始面  焦点距離
1       1    107.61
2       3    -27.14
3       5    -39.38
4       7     57.89
5      10     17.90
6      12     15.05
7      13     -7.01
8      15     26.84
9      18     30.80
10      20    -28.39
11      22      0.00
12      24      0.00
【００７５】
【表１】
0006584089.tif 000002
【符号の説明】
【００７６】
Ｌ１    第１レンズ群    Ｌ２    第２レンズ群    Ｌ３    第３レンズ群
Ｌ４    第４レンズ群    Ｌ５    第５レンズ群    ＳＳ    開口絞り
【図１】
0006584089.tif 000003
【図２】
0006584089.tif 000004
【図３】
0006584089.tif 000005
【図４】
0006584089.tif 000006
【図５】
0006584089.tif 000007
【図６】
0006584089.tif 000008
【図７】
0006584089.tif 000009
【図８】
0006584089.tif 000010
【図９】
0006584089.tif 000011
【図１０】
0006584089.tif 000012